(57)【特許請求の範囲】
【請求項１】
電荷を充放電する蓄電器と、該蓄電器の放電電荷にて発光し、被写体にストロボ閃光を照射するストロボライトと、前記蓄電器を充電する充電手段と、前記ストロボライトをビデオ信号の垂直同期信号または該垂直同期信号の整数倍の周波数信号に同期して単発光または連続発光させる制御部とを備え、静止画撮影時のストロボと動画撮影時のビデオライトとを兼用する照明装置であって、
前記静止画撮影時の放電電荷量と、前記動画撮影時の放電電荷量とが異なる電荷量で放電することを特徴とする照明装置。
【請求項２】
前記充電手段により同一レベルの充電電圧で充電される大小異なる容量の蓄電器と、前記静止画撮影時は大容量蓄電器から放電される電荷にて前記ストロボライトを発光し、前記動画撮影時は小容量蓄電器から放電される電荷にて前記ストロボライトを発光するように制御する制御部とを備えたことを特徴とする請求項１に記載の照明装置。
【請求項３】
単一の蓄電器と、高低異なるレベルの充電電圧を出力可能な充電手段と、前記静止画撮影時は前記充電電圧を高レベルとなるよう前記充電手段を制御し、前記動画撮影時は前記充電電圧を低レベルとなるよう前記充電手段を制御するとともに、前記静止画撮影時は高レベルの充電電圧で充電された前記単一の蓄電器の放電電荷量にて、また、前記動画撮影時は低レベルの充電電圧で充電された前記単一の蓄電器の放電電荷量にて、前記ストロボライトを発光するように制御する制御部とを備えたことを特徴とする請求項１に記載の照明装置。
【請求項４】
前記ストロボライトは、放熱フィンを有する反射板を備えたことを特徴とする請求項１乃至３のいずれかに記載の照明装置。
【請求項５】
前記ストロボライト近辺の周囲温度を検出する温度センサと、前記温度センサの温度検出結果に基づいて、強制的に発光動作を停止させる制御部とを備えたことを特徴とする請求項１乃至４のいずれかに記載の照明装置。
【請求項６】
前記ストロボライト近辺の周囲温度を検出する温度センサと、該温度センサの温度検出結果に基づいて、前記放電電荷量を可変にする制御部とを備えたことを特徴とする請求項１乃至４のいずれかに記載の照明装置。
【発明の詳細な説明】
【０００１】
【発明の属する技術分野】
本発明は、カメラ一体型記録装置やカメラ一体型記録装置と写真機とを一体化した撮影装置に用いられる照明装置に関し、さらに詳しくは、静止画撮影時のストロボと動画撮影時のビデオライトとを１つのストロボライトで兼用し、撮影装置の簡素化を図るとともに、消費電力の低減を図り、安全性を向上させることが可能な照明装置に関する。
【０００２】
【従来の技術】
従来、ビデオカメラと写真機を一体化した撮影装置において、写真撮影用のストロボをビデオカメラ撮影に対しても有効に活用することが提案されている。その一例が特開平６−２３３１８０号公報に開示されており、図５，図６に基づき概略を説明する。
図５は同公報にて開示された、ビデオカメラ（カメラ一体型記録装置）と写真機を一体化した撮影装置の外観を示す図であり、図６は撮影装置に内蔵したストロボのストロボ発光動作を説明する図である。
【０００３】
図５において、３１は装置を構成する筐体、３２はレンズを保持するための鏡筒、３３はビデオ撮影の記録再生に用いるビデオテープを出し入れするためのカセットコンパートメント、３４はビデオ撮影或いは写真撮影時に被写体の画角を確認したり、ビデオ再生の表示をするためのビューファインダ、３５はビデオテープの記録再生等を制御するためのコントロールパネル、３６はカセット状になったビデオテープ、３７は写真フィルムを脱着するための背蓋、３８は装置の使用電力を供給するための取り外し可能な電池、３９は暗雰囲気での写真撮影を容易にするストロボライト、４０はビデオ撮影時の音声記録のためのマイクロフォンである。
【０００４】
前述したストロボライト３９は、図６のオートストロボ回路の発光動作にて、発光される。
図６において、４５は被写体、４６はストロボライト３９で発光した光を受光するための受光センサ、４７は受光センサ４６からの光強度信号を積分して光量に換算したものと所定の値とを比較し、所定の値に達したらストロボ発光停止信号を発生する比較回路、４８は比較回路４７からのストロボ発光停止信号と、図示しないシステムコントローラからの信号とにより、ストロボライト３９を発光させる発光回路である。
【０００５】
次に動作説明をする。ストロボライト３９は被写体４５に対し、ストロボ閃光を発光する。発光された光は受光センサ４６にて受光され、受光された光は比較回路４７に出力される。
比較回路４７は、受光センサ４６からの光強度信号を積分して光量に換算し、換算した光量と内部に備えた所定の値との比較を行う。そして、所定の受光量になるまではストロボ発光信号を出力し、所定の受光量になるとストロボ発光停止信号を出力する動作を行う。こうすることで、被写体４５に対し常に一定の光量がストロボから発光されるよう制御する。ストロボ発光信号あるいはストロボ発光停止信号は次段の発光回路４８へ出力される。
【０００６】
発光回路４８には、図示しないシステムコントローラからの信号が入力され、前述したストロボ発光信号あるいはストロボ発光停止信号に応じて発光動作を行う。なお、システムコントローラからの信号は、ビデオ垂直同期信号と同じ周波数または、整数倍の周波数の信号であり、ストロボ発光は、ビデオ垂直同期信号またはビデオ垂直同期信号の整数倍の周波数に同期して連続発光される。こうして、ビデオライトと同じ効果がストロボで得られる。
【０００７】
以上のように、１つのストロボライトで写真撮影時のストロボと、動画撮影時のビデオライトを兼用した、ビデオカメラと写真機を一体化した撮影装置がある。なお、ストロボの単発発光の説明は省略する。
【０００８】
【発明が解決しようとする課題】
従来の装置においては、１つのストロボライトで写真撮影時のストロボと、動画撮影時のビデオライトを兼用することで、別々にストロボライト及びビデオライトを備える必要がなくなり、装置の簡略化を図ることができる。
また、ビデオライトとしての使用時、ビデオ信号の垂直同期信号または垂直同期信号の整数倍の周波数に同期して連続発光させることで、消費電力の低減を図ることができる。
【０００９】
しかしながら、ビデオ信号の垂直同期信号または垂直同期信号の整数倍の周波数に同期して連続発光させ、消費電力の低減を図るだけでは、まだ、十分満足できる消費電力の低減といえず、電力消費によるバッテリ切れが発生するという問題があった。
また、連続発光によるストロボライト放電管の温度上昇については、対処されていなく、放電管の温度上昇により、ストロボライト放電管が溶解するという問題があった。
【００１０】
【課題を解決するための手段】
本発明は、電荷を充放電する蓄電器と、該蓄電器の放電電荷にて発光し、被写体にストロボ閃光を照射するストロボライトと、前記蓄電器を充電する充電手段と、前記ストロボライトをビデオ信号の垂直同期信号または該垂直同期信号の整数倍の周波数信号に同期して単発光または連続発光させる制御部とを備え、静止画撮影時のストロボと動画撮影時のビデオライトとを兼用する照明装置であって、前記静止画撮影時の放電電荷量と、前記動画撮影時の放電電荷量とが異なる電荷量で放電することを特徴とする。
【００１１】
さらに本発明は、前記充電手段により同一レベルの充電電圧で充電される大小異なる容量の蓄電器と、前記静止画撮影時は大容量蓄電器から放電される電荷にて前記ストロボライトを発光し、前記動画撮影時は小容量蓄電器から放電される電荷にて前記ストロボライトを発光するように制御する制御部とを備えたことを特徴とする。
【００１２】
さらに本発明は、単一の蓄電器と、高低異なるレベルの充電電圧を出力可能な充電手段と、前記静止画撮影時は前記充電電圧を高レベルとなるよう前記充電手段を制御し、前記動画撮影時は前記充電電圧を低レベルとなるよう前記充電手段を制御するとともに、前記静止画撮影時は高レベルの充電電圧で充電された前記単一の蓄電器の放電電荷量にて、また、前記動画撮影時は低レベルの充電電圧で充電された前記単一の蓄電器の放電電荷量にて、前記ストロボライトを発光するように制御する制御部とを備えたことを特徴とする。
【００１３】
さらに本発明は、前記ストロボライトが放熱フィンを有する反射板を備えたことを特徴とする。
【００１４】
さらに本発明は、前記ストロボライト近辺の周囲温度を検出する温度センサと、該温度センサの温度検出結果に基づいて、強制的に発光動作を停止させる制御部とを備えたことを特徴とする。
【００１５】
さらに本発明は、前記ストロボライト近辺の周囲温度を検出する温度センサと、前記温度センサの温度検出結果に基づいて、前記放電電荷量を可変にする制御部とを備えたことを特徴とする。
【００１６】
【発明の実施の形態】
本発明の一実施形態について、図１乃至図４に基づき以下説明する。
図１は、本発明のカメラ一体型記録装置やカメラ一体型記録装置と写真機とを一体化した撮影装置等に用いられる照明装置の第１実施例の構成を示す図、図２は、本発明の第２実施例の構成を示す図、図３は、本発明の第１実施例に関連する異なる実施例の構成を示す図、図４は、本発明の第２実施例に関連する異なる実施例の構成を示す図である。
【００１７】
図１において、本発明の第１実施例の照明装置は、暗雰囲気の撮影時、被写体に対しストロボ閃光を照射するストロボライト１（なお、ストロボライト１は放熱フィン１ａを備える反射板１ｂ及びストロボ放電管１ｃを備える。）、ストロボライト１近辺の周囲の温度を検出する温度センサ２、温度センサ２からの出力信号，ビデオ信号の垂直同期信号（Ｖ同期信号），モード信号，発光信号／停止信号が入力され後述する発光回路やスイッチに制御信号を出力する制御部３、制御部３からの制御信号にて切換えられるスイッチ４，スイッチ５、制御部３からの制御信号にて制御される充電手段となる発光回路６、発光回路６からの出力電圧にて充電されスイッチ４にて放電する蓄電器であるコンデンサ７、発光回路６からの出力電圧にて充電されスイッチ５にて放電する蓄電器であるコンデンサ８、及びコンデンサ７，８の充電状態を検出する充電検出回路９を備える。
【００１８】
また、発光回路６は、電源回路より入力された低電圧を昇圧する昇圧トランス６ａ、発光回路６を駆動する駆動回路６ｂ、一端が昇圧トランス６ａの出力端に接続されるスイッチ６ｃ，スイッチ６ｄ、スイッチ６ｃの他端に接続される電流制限抵抗６ｅ、スイッチ６ｄの他端に接続される電流制限抵抗６ｆ、電流制限抵抗６ｅに接続される逆流防止用ダイオード６ｇ、電流制限抵抗６ｆに接続される逆流防止用ダイオード６ｈ、一端が昇圧トランス６ａの出力端に接続され、他端が駆動回路６ｂに接続される電圧検出抵抗６ｉ、電圧検出抵抗６ｉの他端に接続される電圧検出抵抗６ｊを備える。
【００１９】
次に動作説明をする。まず、電源スイッチ（図示せず）がオンされると、発光回路６には電源回路より例えば７.２Ｖの低電圧が入力され、昇圧トランス６ａの一次側及び駆動回路６ｂに入力される。また、制御部３より制御信号Ｃ１が出力され、スイッチ６ｃ，スイッチ６ｄはオンとなる。
昇圧トランス６ａは駆動回路６ｂにて駆動され、２次側の出力に昇圧した電圧Ｖ１を出力する。出力された電圧は、スイッチ６ｃ，スイッチ６ｄへ出力されるとともに、駆動回路６ｂにフィードバックされる。
【００２０】
フィードバック電圧Ｖ２は、出力電圧Ｖ１と電圧検出抵抗６ｉ，６ｊとにより決定され、Ｖ２＝｛６ｊ／（６ｉ＋６ｊ）｝×Ｖ１となる。
駆動回路６ｂは、入力されるフィードバック電圧Ｖ２を内部に備えた基準電圧と比較し、昇圧トランス６ａの出力電圧Ｖ１を変化させ、入力されるフィードバック電圧Ｖ２が一定になるように制御する。ここで、本実施例においては、昇圧トランス６ａと電圧検出抵抗６ｉ，６ｊとの設定で、出力電圧Ｖ１を例えば３００Ｖに設定している。
【００２１】
昇圧トランス６ａの出力端には、スイッチ６ｃの一端が接続され、スイッチ６ｃの他端には、電流制限抵抗６ｅの一端が接続されている。また、電流制限抵抗６ｅの他端には逆流防止用ダイオード６ｇの一端が接続され、逆流防止用ダイオード６ｇの他端には、コンデンサ７が接続されている。
【００２２】
更に、昇圧トランス６ａの出力端には、スイッチ６ｄの一端が接続され、スイッチ６ｄの他端には、電流制限抵抗６ｆの一端が接続されている。また、電流制限抵抗６ｆの他端には逆流防止用ダイオード６ｈの一端が接続され、逆流防止用ダイオード６ｈの他端には、コンデンサ８が接続されている。
【００２３】
ここで、コンデンサ７は、後述する静止画撮影モード時の高照度照射用のコンデンサであり、例えば耐圧３５０Ｖ，容量１００μＦである。また、コンデンサ８は、後述する動画撮影モード時の低照度照射用のコンデンサであり、例えば、耐圧３５０Ｖ，容量１０μＦである。
【００２４】
コンデンサ７，コンデンサ８は、制御信号Ｃ１によりスイッチ６ｃ，スイッチ６ｄがオンされているため、昇圧トランス６ａの出力電圧Ｖ１にて充電が開始される。また、コンデンサ７，コンデンサ８のプラス側には、充電検出回路９が接続されコンデンサ７，コンデンサ８の充電状態を検出している。
【００２５】
やがて、充電が完了したことを検出すると、充電検出回路９は充電完了信号を制御部３に出力する。制御部３は充電完了信号が入力されると、制御信号Ｃ１を出力し、スイッチ６ｃ，スイッチ６ｄをオフする。なお、充電検出回路９は自動切換えにて、コンデンサ８の充電が完了したら、コンデンサ７の充電状態を検出するようになっている。以上の動作により、コンデンサ７，コンデンサ８は充電状態となっている。
【００２６】
次に、撮影時における暗雰囲気での照明装置の発光動作を説明する。まず、制御部３には、静止画撮影モードや動画撮影モードの撮影モードを示すモード信号及び垂直同期信号（Ｖ同期信号）が入力される。なお、モード信号は動画撮影モードを優先とし、撮影モードとした場合は、自動的に動画撮影モードのモード信号が入力される。
【００２７】
まず、動画撮影モード時のビデオライトとして用いる発光動作を説明する。撮影者の操作により、被写体への照射開始を示す発光信号が制御部３に入力されると、制御部３は、制御信号Ｃ１を出力し、スイッチ６ｄをオンさせると同時に（スイッチ６ｃはオフのまま）、制御信号Ｃ２を出力し、入力されているＶ同期信号に同期して、あるいはＶ同期信号の整数倍の周波数信号に同期して、スイッチ５のオン・オフを切換える。
【００２８】
スイッチ５がオンすることで、コンデンサ８に充電された電荷は、ストロボライト１に出力され、ストロボ放電管１ｃに放電される。ストロボ放電管１ｃは、放電された電荷にてストロボ閃光を発光する。また、スイッチ５がオフすることで、放電は停止され発光が停止する。動画撮影モード時において、コンデンサ８は充放電を繰り返す。
【００２９】
以上のように動画撮影モード時、ストロボ放電管１ｃは、Ｖ同期信号に同期して、あるいはＶ同期信号の整数倍の周波数信号に同期してストロボ閃光を連続発光する。なお、被写体への照射停止は、撮影者の操作により、照射停止を示す停止信号が制御部３に入力されることで行われ、制御部３は、停止信号が入力されると、制御信号Ｃ２を出力し、スイッチ５をオフするとともに、制御信号Ｃ１を出力し、スイッチ６ｄをオフさせる。
【００３０】
本発明のストロボライト１の反射板１ｂは、放熱フィン１ａを有する反射板１ｂとし、放熱フィン１ａにて放熱することで、ストロボ放電管１ｃの温度上昇を抑えている。更に、ストロボライト１の近辺には、例えばサーミスタ等を用いた温度センサ２が設けられている。
【００３１】
温度センサ２は、ストロボライト１近辺の周囲温度を検出し、検出出力は制御部３に出力される。制御部３は、予め実験で求められたデータを有し、ストロボライト１近辺の周囲温度が所定の温度に達した場合、照射モードであっても、強制的に制御信号Ｃ２を出力し、スイッチ５をオフにし発光を停止させる。ここで、所定の温度とは、温度上昇によるストロボ放電管１ｃの溶解等、危険性を防止する温度である。
【００３２】
以上のように、本実施例の動画撮影モードにおいては、コンデンサ８の容量を例えば１０μＦの低容量のコンデンサとし、充電電流を少なくし低照度に発光を抑え、消費電力の低減を図っている。
【００３３】
次に、静止画撮影モード時のストロボとしての発光動作を説明する。なお、動画撮影モード時と重複する部分の説明は省略する。撮影者の操作により、静止画撮影モードを示すモード信号が制御部３に入力され、更に、被写体への照射開始を示す発光信号が制御部３に入力されると、制御部３は、制御信号Ｃ３を出力し、入力されているＶ同期信号に同期してスイッチ４をオンする。
【００３４】
スイッチ４がオンすることで、コンデンサ７に充電された電荷は、ストロボライト１に出力され、ストロボ放電管１ｃに放電される。ストロボ放電管１ｃは、放電された電荷にてストロボ閃光を発光する。静止画撮影モード時の制御信号Ｃ３は、スイッチ４を１度オンするのみの動作であり、発光は１度のみの発光となる。
【００３５】
従って、静止画撮影モード時の被写体への照射は、１度のみの照射である。消費電力やストロボ放電管１ｃの温度上昇を深く考慮する必要がなく、例えば１００μＦの大容量のコンデンサで充電された電荷にて、高照度のストロボ閃光を発光するものである。
【００３６】
なお、以上の説明においては、発光信号が入力後、直ちに照射が開始されるよう、予めコンデンサ７，コンデンサ８を充電しておく例で説明したが、照射開始は多少遅れるが、モード信号や発光信号／停止信号が入力されてから前述と同様の充放電や発光動作を開始することで、図３に示すように充電検出回路９を省略することもできる。
【００３７】
以上のように、充電手段（発光回路６）出力の同一レベルの充電電圧（例えば３００Ｖ）で充電される大小異なる充電容量（例えば、１００μＦ，１０μＦ）の蓄電器（コンデンサ７，８）と、静止画撮影時は大容量蓄電器（例えば、１００μＦ）から放電される電荷にてストロボライト１を発光し、動画撮影時は小容量蓄電器（たとえば、１０μＦ）から放電される電荷にてストロボライト１を発光するように制御する制御部３とを備えたものである。
【００３８】
次に、本発明の第２の実施例を説明する。
図２において、本発明の第２実施例の照明装置は、暗雰囲気の撮影時、被写体に対しストロボ閃光を照射するストロボライト１（なお、ストロボライト１は放熱フィン１ａを備える反射板１ｂ及びストロボ放電管１ｃを備える。）、ストロボライト１付近の周囲の温度を検出する温度センサ２、温度センサ２からの出力信号，垂直同期信号（Ｖ同期信号），モード信号，発光信号／停止信号が入力され後述する発光回路やスイッチに制御信号を出力する制御部１３、制御部１３からの制御信号にて切換えられるスイッチ４、制御部１３からの制御信号Ｃ１，Ｃ２にて制御される充電手段となる発光回路１６、発光回路１６からの出力電圧にて充電されスイッチ４にて放電する蓄電器であるコンデンサ７、コンデンサ７の充電状態を検出する充電検出回路１９を備える。
【００３９】
また、発光回路１６は、電源回路より入力された低電圧を昇圧する昇圧トランス１６ａ、発光回路１６を駆動する駆動回路１６ｂ、一端が昇圧トランス１６ａの出力端に接続されるスイッチ１６ｃ、スイッチ１６ｃの他端に接続される電流制限抵抗１６ｄ、電流制限抵抗１６ｄに接続される逆流防止用ダイオード１６ｅ、一端が昇圧トランス１６ａの出力端に接続され、他端が駆動回路１６ｂに接続される電圧検出抵抗１６ｆ、電圧検出抵抗１６ｆに接続される電圧検出抵抗１６ｇ、電圧検出抵抗１６ｇに接続される電圧検出抵抗１６ｈ、コレクタが電圧検出抵抗１６ｇ，１６ｈ間に接続され、ベースに制御部１３からの制御信号Ｃ１が入力され、制御信号Ｃ１にてオン・オフするトランジスタ１６ｉを備える。
【００４０】
次に動作説明をする。まず、電源スイッチ（図示せず）がオンされると、発光回路１６には電源回路より例えば７.２Ｖの低電圧が入力され、昇圧トランス１６ａの一次側及び駆動回路１６ｂに入力される。また、制御部１３より制御信号Ｃ１が出力され、トランジスタ１６ｉはオンとなる。更に、制御部１３より制御信号Ｃ２が出力され、スイッチ１６ｃはオンとなる。
【００４１】
昇圧トランス１６ａは駆動回路１６ｂにて駆動され、２次側の出力に昇圧した電圧Ｖ３を出力する。出力された電圧は、スイッチ１６ｃへ出力されるとともに、駆動回路１６ｂにフィードバックされる。
フィードバック電圧Ｖ４は、出力電圧Ｖ３と電圧検出抵抗１６ｆ，１６ｇ，１６ｈとにより決定される。トランジスタ１６ｉがオンすることで、電圧検出抵抗１６ｈが短絡状態となり、Ｖ４＝｛１６ｇ／（１６ｆ＋１６ｇ）｝×Ｖ３となる。
【００４２】
駆動回路１６ｂは、入力されるフィードバック電圧Ｖ４を内部に備えた基準電圧と比較し、昇圧トランス１６ａの出力電圧Ｖ３を変化させ、入力されるフィードバック電圧Ｖ４が一定になるよう制御する。ここで、本実施例の動画撮影モード時においては、昇圧トランス１６ａと電圧検出抵抗１６ｆ，１６ｇ，１６ｈとの設定で、出力電圧Ｖ３を例えば１００Ｖに設定している。
【００４３】
昇圧トランス１６ａの出力端には、スイッチ１６ｃの一端が接続され、スイッチ１６ｃの他端には、電流制限抵抗１６ｄの一端が接続されている。また、電流制限抵抗１６ｄの他端には逆流防止用ダイオード１６ｅの一端が接続され、逆流防止用ダイオード１６ｅの他端には、コンデンサ７が接続されている。
【００４４】
コンデンサ７は、制御信号Ｃ２によりスイッチ１６ｃがオンされているため、昇圧トランス１６ａの出力電圧Ｖ３にて充電が開始される。また、コンデンサ７のプラス側には、充電検出回路１９が接続されコンデンサ７の充電状態を検出している。なお、コンデンサ７は例えば耐圧３５０Ｖ，容量１００μＦを用いている。
やがて、充電が完了したことを検出すると、充電検出回路１９は充電完了信号を制御部１３に出力する。制御部１３は充電完了信号が入力されると、制御信号Ｃ２を出力し、スイッチ１６ｃをオフする。
【００４５】
以上の動作により、コンデンサ７は充電状態となっている。従い、コンデンサ７は、充電電圧１００Ｖにて充電されて充電状態となっている。これは、照射前の充電状態が後述する動画撮影モード時の低照度に合わせた充電状態としておくものである。
【００４６】
次に、撮影時における暗雰囲気での照明装置の発光動作を説明する。まず、制御部１３には、静止画撮影モードや動画撮影モードの撮影モードを示すモード信号及び垂直同期信号（Ｖ同期信号）が入力される。なお、モード信号は動画撮影モードを優先とし、撮影モードとした場合は、自動的に動画撮影モードのモード信号が入力される。
【００４７】
まず、動画撮影モード時のビデオライトとして用いる発光動作を説明する。撮影者の操作により、被写体への照射開始を示す発光信号が制御部１３に入力されると、制御部１３は、制御信号Ｃ２を出力し、スイッチ１６ｃをオンさせると同時に、制御部信号Ｃ３を出力し、入力されているＶ同期信号に同期して、あるいはＶ同期信号の整数倍の周波数信号に同期して、スイッチ４のオン・オフを切換える。
【００４８】
スイッチ４がオンすることで、コンデンサ７に充電された電荷は、ストロボライト１に出力され、ストロボ放電管１ｃに放電される。ストロボ放電管１ｃは、放電された電荷にてストロボ閃光を発光する。また、スイッチ４がオフすることで、放電は停止され発光が停止する。動画撮影モード時において、コンデンサ７は充放電を繰り返す。
【００４９】
以上のように、ストロボ放電管１ｃは、Ｖ同期信号に同期して、あるいはＶ同期信号の整数倍の周波数信号に同期してストロボ閃光を連続発光する。なお、被写体への照射停止は、撮影者の操作により、照射停止を示す停止信号が制御部１３に入力されることで行われ、制御部１３は、停止信号が入力されると、制御信号Ｃ３の出力を出力し、スイッチ４をオフするとともに、制御信号Ｃ２を出力し、スイッチ１６ｃをオフさせる。
【００５０】
本発明のストロボライト１の反射板は、放熱フィン１ａを有する反射板１ｂとし、放熱フィン１ａにて放熱することで、ストロボ放電管１ｃの温度上昇を抑えている。更に、ストロボライト１の近辺には、例えばサーミスタ等を用いた温度センサ２が設けられている。
【００５１】
温度センサ２は、ストロボライト１近辺の周囲温度を検出し、検出出力は制御部１３に出力される。制御部１３は、予め実験で求められたデータを有し、ストロボライト１近辺の周囲温度が所定の温度に達した場合、照射モードであっても、強制的に制御信号Ｃ３を出力し、スイッチ４をオフにし発光を停止させる。ここで、所定の温度とは、温度上昇によるストロボ放電管１ｃの溶解等、危険性を防止する温度である。
【００５２】
以上のように、本実施例の動画撮影モードにおいては、昇圧トランス１６ａの出力電圧を例えば１００Ｖとし、充電電圧を低く抑えて低照度に発光を抑え、消費電力の低減を図っている。
【００５３】
次に、静止画撮影モード時のストロボとしての発光動作を説明する。なお、動画撮影モード時と同じで重複する部分の説明は省略する。撮影者の操作により、静止画撮影モード時を示すモード信号が制御部１３に入力されると、制御部１３は、制御信号Ｃ１を出力し、トランジスタ１６ｉをオフするとともに、制御信号Ｃ２を出力しスイッチ１６ｃをオンとする。
【００５４】
昇圧トランス１６ａは駆動回路１６ｂにて駆動され、２次側の出力に昇圧した電圧Ｖ５を出力する。出力された電圧は、スイッチ１６ｃへ出力されるとともに、駆動回路１６ｂにフィードバックされる。
フィードバック電圧Ｖ６は、出力電圧Ｖ５と電圧検出抵抗１６ｆ，１６ｇ，１６ｈとにより決定される。静止画撮影モード時では、トランジスタ１６ｉがオフとなるため、Ｖ６＝｛（１６ｇ＋１６ｈ）／（１６ｆ＋１６ｇ＋１６ｈ）｝×Ｖ５となる。
【００５５】
駆動回路１６ｂは、入力されるフィードバック電圧Ｖ６を内部に備えた基準電圧と比較し、昇圧トランス１６ａの出力電圧Ｖ５を変化させ、入力されるフィードバック電圧Ｖ６が一定になるよう制御する。ここで、本実施例の静止画撮影モード時においては、昇圧トランス１６ａと電圧検出抵抗１６ｆ，１６ｇ，１６ｈとの設定で、出力電圧Ｖ５を例えば３００Ｖに設定している。
【００５６】
コンデンサ７は、制御信号Ｃ２によりスイッチ１６ｃがオンされているため、昇圧トランス１６ａの出力電圧Ｖ５にて充電が開始される。即ち、充電電圧１００Ｖで充電された状態から充電電圧３００Ｖで充電が開始される。また、コンデンサ７のプラス側には、充電検出回路１９が接続されコンデンサ７の充電状態を検出している。
【００５７】
やがて、充電が完了したことを検出すると、充電検出回路１９は充電完了信号を制御部１３に出力する。制御部１３は充電完了信号が入力されると、制御信号Ｃ２を出力し、スイッチ１６ｃをオフする。以上の動作により、コンデンサ７は３００Ｖで充電された充電状態となっている。
【００５８】
被写体への照射開始を示す発光信号が制御部１３に入力されると、制御部１３は、制御信号Ｃ３を出力し、入力されているＶ同期信号に同期して、スイッチ４をオンする。スイッチ４がオンすることで、コンデンサ７に充電された電荷は、ストロボライト１に出力され、ストロボ放電管１ｃに放電される。ストロボ放電管１ｃは、放電された電荷にてストロボ閃光を発光する。静止画撮影モード時の制御信号Ｃ３は、スイッチ４を１度オンするのみで、発光動作は１度のみの動作となる。
【００５９】
従って、静止画撮影モード時の被写体への照射は、１度のみの照射である。従って、消費電力やストロボ放電管１ｃの温度上昇を深く考慮する必要がなく、例えば３００Ｖで充電された電荷にて、高照度のストロボ閃光を発光するものである。
なお、前述の説明においては、発光信号が入力後、直ちに照射が開始されるよう、予めコンデンサ７を充電しておく例で説明したが、照射開始は多少遅れるが、モード信号や発光信号／停止信号が入力されてから前述と同様の充放電や発光動作を開始することで、図４のように充電検出回路１９を省略することもできる。
【００６０】
以上のように、第２の実施例は高低異なるレベルの充電電圧（例えば、３００Ｖ，１００Ｖ）を出力可能な充電手段（発光回路１６）と、単一の蓄電器７と、静止画撮影時は充電電圧を高レベル（例えば、３００Ｖ）となるよう充電手段（発光回路１６）を制御し、動画撮影時は充電電圧を低レベル（例えば、１００Ｖ）となるよう充電手段（発光回路１６）を制御する制御部１３とを備え、静止画撮影時は高レベルの充電電圧で充電され、動画撮影時は低レベルの充電電圧で充電された単一の蓄電器７の放電電荷にて、ストロボライト１を発光するよう構成されたものである。
【００６１】
以上の説明において、高照度時の照度に対する低照度時の照度の比が、約１０分の１になる充電電圧やコンデンサ容量の例を用いて説明したが、充電電圧やコンデンサ容量を適宜設定することで、約５分の１，約５０分の１，約１００分の１等自由に設定できることは、いうまでもないことである。
【００６２】
また、以上の説明において、温度センサ２の検出結果に基づいて、強制的に発光動作を停止させる例を説明したが、温度センサ２の検出結果に基づいて、放電電荷を可変することも実現できる。
【００６３】
例えば、第２の実施例である図２において、電圧検出抵抗１６ｆ，１６ｇ，１６ｈに加えて、電圧検出抵抗を電圧検出抵抗１６ｈとグランド間に追加するとともに、スイッチ用トランジスタ１６ｉに加えてスイッチ用トランジスタを設け、フィードバック電圧を３段階に切換えることで、充電電圧も３段階に追加でき、連続発光時の温度上昇に応じて、照度を更に低照度に抑えることも実現できる。
【００６４】
また、第１の実施例である図１においては、固定であるフィードバック電圧を第２の実施例のように、切換えるよう構成することで、前述したことと同様な効果を得ることができる。
【００６５】
以上説明したように本発明の照明装置は、ストロボライトとビデオライトを兼用する照明装置において、静止画撮影時の放電電荷量と、動画撮影時の放電電荷量とが異なる電荷量で放電されるよう構成することで、照度を変化できるよう構成し、ストロボとして使用時は高照度で照射し、ビデオライトとして使用時は、低照度で照射することで消費電力の低減を図るものである。
【００６６】
また、ストロボライトの反射板に放熱フィンを備え、放熱することでストロボ放電管の温度上昇を抑えるものである。
更に、ストロボライト近辺に温度センサを備え、ビデオライトとして使用時の連続発光時、所定温度に達した場合は強制的に発光を停止させ、ストロボ放電管の溶解等の危険性を防止し、安全性を確保するものである。
【００６７】
【発明の効果】
請求項１の照明装置によれば、静止画撮影時のストロボと動画撮影時のビデオライトとを１つのストロボライトで兼用し、撮影装置の簡素化を図るとともに、静止画撮影時のストロボと動画撮影時のビデオライトとの照射する照度を異なる照度で照射することが可能となる。
【００６８】
請求項２の照明装置によれば、請求項１の効果に加えて、静止画撮影時のストロボは高照度で照射し、連続発光される動画撮影時のビデオライトは低照度で照射することができ、消費電力の低減が可能となる。
【００６９】
請求項３の照明装置によれば、請求項１，２の効果に加えて、比較的大きなスペースを占有する蓄電器を単一使用するため、装置の省スペース化が可能となる。
【００７０】
請求項４の照明装置によれば、請求項１，２，３の効果に加えて、ストロボ放電管の温度上昇を抑圧することができ、動画撮影時のビデオライトの照射時間を長くすることが可能となる。
【００７１】
請求項５の照明装置によれば、請求項１，２，３，４の効果に加えて、強制的に発光動作を停止させることで装置の安全性を向上させることが可能となる。
【００７２】
請求項６の照明装置によれば、請求項４の効果に加えて、更にストロボ放電管の温度上昇を抑圧することができ、動画撮影時のビデオライトの照射時間を更に長くすることが可能となる。
【図面の簡単な説明】
【図１】本発明の第１実施例の構成を示す図である。
【図２】本発明の第２実施例の構成を示す図である。
【図３】本発明の第１実施例に関連する異なる実施例の構成を示す図である。
【図４】本発明の第２実施例に関連する異なる実施例の構成を示す図である。
【図５】従来装置の外観を示す図である。
【図６】従来装置のストロボ発光動作を説明するブロック図である。
【符号の説明】
１…ストロボライト、１ａ…放熱フィン、１ｂ…反射板、１ｃ…ストロボ放電管、２…温度センサ、３，１３…制御部、４，５…スイッチ、６，１６…発光回路、７，８…コンデンサ、９，１９…充電検出回路。
【図１】
0003698600.tif 000002
【図２】
0003698600.tif 000003
【図３】
0003698600.tif 000004
【図４】
0003698600.tif 000005
【図５】
0003698600.tif 000006
【図６】
0003698600.tif 000007